(57)【要約】【課題】            従来、セキュリティタグやバーコードシール等に非接触式ＩＣタグを搭載した場合、ＩＣチップの体積（厚さ）によって精密なロール状態が得られず、また、プリントも容易にスムーズな作業で行なう事ができなくなってしまうという点である。【解決手段】        ベース材の一面にＩＣチップと送受信アンテナから構成される非接触式ＩＣタグを具備する電子タグにおいて、前記ベース材は金属材料をダイカット加工して成形された中空部分を有する回路パターンとし、前記した非接触式ＩＣタグの少なくともＩＣチップは前記中空部分と対応して配置されることとし、前記ベース材は金属材料に回路パターンをプリント後エッチング加工して成形された回路パターンとし、前記した非接触式ＩＣタグの少なくともＩＣチップは溶融により除去された凹所部分と対応して配置されることとする。【選択図】          図１
2010146149.tif 000002
【特許請求の範囲】
【請求項１】
ベース材の一面にＩＣチップと送受信アンテナから構成される非接触式ＩＣタグを具備する電子タグにおいて、前記ベース材は金属材料をダイカット加工して成形された中空部分を有する回路パターンとし、前記した非接触式ＩＣタグの少なくともＩＣチップは前記中空部分と対応して配置されることを特徴とする電子タグ。
【請求項２】
ベース材の一面にＩＣチップと送受信アンテナとから構成される非接触式ＩＣタグを具備する電子タグにおいて、前記ベース材は金属材料に回路パターンをプリント後エッチング加工して成形された回路パターンとし、前記した非接触式ＩＣタグの少なくともＩＣチップは溶融により除去された凹所部分と対応して配置されることを特徴とする電子タグ。
【請求項３】
前記したＩＣチップは、その個体識別情報はＲＯＭ機能のみを有し、サイズは０．５ｍｍ2以下で厚さは６０μｍ以下の直方体であることとし、このＩＣチップを有する非接触式ＩＣタグの動作周波数は４００ＭＨｚ以上のものとしたことを特徴とする請求項１または請求項２に記載の電子タグ。
【請求項４】
前記したベース材の金属材料はアルミニウムであることを特徴とする請求項１、請求項２または請求項３に記載の電子タグ。
【発明の詳細な説明】
【技術分野】
【０００１】
本発明は電子タグ、特にＩＣチップを用いた非接触式ＩＣタグ（ＲＦＩＤ）を使用して、商品のライフサイクル全体を流通に沿って管理する事ができ、また、この非接触式ＩＣタグをマグネットを利用する等したセキュリティタグと一体化させることで万引き不正持ち出し等を防止する機能も併せ持つことを可能とした電子タグに関する。
【背景技術】
【０００２】
一般的に、非接触式ＩＣタグは各商品の個体情報を予め入力したＩＣチップにアンテナを電気的に接続してあり、この非接触式ＩＣタグはテープ状の紙等のベースに固定され、その状態で商品に貼装されたり、埋設される等して使用されるもので、主としてマイクロ波を含むＵＨＦ波を用いる無線によって非接触式とされ、数ｍの通信距離を可能とし、製造から、物流、販売、リサイクルの全ての業態で用いられ、大量の商品の物流管理に加え、履歴管理、セキュリティ管理も行なわれている。
【０００３】
一方、前記した非接触式ＩＣタグは、例えばマグネットを使用した盗犯防止用のセキュリティタグやバーコードシール等に付加され、商品管理とセキュリティを一つのタグで併用することも行なわれている。このセキュリティタグやバーコードシールは生産ラインにあって長尺な接着手段によって一連にされた状態で連続生産され、それをロールし、使用時に単一にカットして商品に装着される。
【０００４】
ここで、一連に接着手段で連続されたセキュリティタグ等に非接触式ＩＣタグを搭載した場合、これをロールに巻くと、いかにＩＣチップが薄いとはいえ、体積（厚さ）を有しているためそのロール状態はＩＣチップの存在で盛り上がり、嵩が張って密なロール状態とはならず、また、タグにプリントを施す場合もこのＩＣチップの体積（厚さ）が邪魔となってスムーズな作業が行ないにくいものとなってしまう。
【特許文献１】本願発明について、出願人は先行する技術文献を調査したが、格別に本願発明と関連し、類似すると思われる文献は発見する事ができなかった。
【発明の開示】
【発明が解決しようとする課題】
【０００５】
本願発明が解決しようとする問題点は、従来、セキュリティタグやバーコードシール等に非接触式ＩＣタグを搭載した場合、ＩＣチップの体積（厚さ）によって精密なロール状態が得られず、また、プリントも容易にスムーズな作業で行なう事ができなくなってしまうという点である。
【課題を解決するための手段】
【０００６】
上記した問題点を解決するために、本発明に係る電子タグはベース材の一面にＩＣチップと送受信アンテナから構成される非接触式ＩＣタグを具備する電子タグにおいて、前記ベース材は金属材料をダイカット加工して成形された中空部分を有する回路パターンとし、前記した非接触式ＩＣタグの少なくともＩＣチップは前記中空部分と対応して配置されることを特徴としている。
【０００７】
また、本発明に係る電子タグはベース材の一面にＩＣチップと送受信アンテナとから構成される非接触式ＩＣタグを具備する電子タグにおいて、前記ベース材は金属材料に回路パターンをプリント後エッチング加工して成形された回路パターンとし、前記した非接触式ＩＣタグの少なくともＩＣチップは溶融により除去された凹所部分と対応して配置されることを特徴としている。
【０００８】
さらに、本発明に係る電子タグは前記したＩＣチップは、その個体識別情報はＲＯＭ機能のみを有し、サイズは０．５ｍｍ2以下で厚さは６０μｍ以下の直方体であることとし、このＩＣチップを有する非接触式ＩＣタグの動作周波数は４００ＭＨｚ以上のものとしたことを特徴とし、前記したベース材の金属材料はアルミニウムであることを特徴としている。
【発明の効果】
【０００９】
本発明に係る電子タグは上記のように構成されている。そのため、本発明の実施で想定しているＩＣチップの厚さが６０μｍ以下ではあっても、ダイカット加工によって打ち抜きされて成形された中空部分やエッチング加工で溶融され成形された凹所に対応して配置されることとなり、全体のロールやプリントに際し、このＩＣチップが邪魔となることは一切なくなり、精度の良い生産、加工が行なわれることとなる。
【発明を実施するための最良の形態】
【００１０】
図面として示し、実施例で説明したように構成することで実現した。
【実施例１】
【００１１】
次に、本発明の好ましい第一実施例を図１乃至図３を参照して説明する。図１は本発明を実施した第一実施例に係る電子タグを示す平面図、図２は同じく要部断面図、図３は生産ライン状態を示す図である。
【００１２】
これらの図にあって１はアルミニウム、特にアルミ箔を刃型を用いて打ち抜いたダイカットによる回路パターンであり、この回路パターン１が電波方式によるセキュリティタグとして作用する。２は前記した刃型によって打ち抜かれた窓孔、即ち中空部分となる。
【００１３】
また、図中３は非接触式ＩＣタグを示しており、４はＩＣチップ、５はそのＩＣチップ４に接続されているアンテナを示している。
【００１４】
この非接触式ＩＣタグ３はアンテナ５の端部を回路パターン１に架け、窓孔２部分にＩＣチップ４を存在させるように配置し、そのＩＣチップ４の天面は回路パターン１と面一状態となるようにしてあるため、このＩＣチップ４が全体構成から盛り出してしまうことはない。
【００１５】
また、係る回路パターン（セキュリティタグ）１、１‥は図３として示すように接着手段（接着テープ）６によって一連に連続した構成とされて生産され、これをロールする際に前記したＩＣチップ４の体積（厚さ）が邪魔をして密な状態となることを妨げることはなくなり、プリントを施すについてもＩＣチップ４が弊害となることはなく、スムーズで精度の良いプリント作業を行なう事ができる。
【００１６】
さらに、ここで、ＩＣチップ４は個体情報をＲＯＭ機能のみとし、サイズは０．５ｍｍ2以下、具体的には縦横４０μｍ、厚さは６０μｍの直方体をしており、１２８ビットの読み出し専用データを製造段階で予め記録して出荷される。即ち、非接触式ＩＣタグ３はアンテナ５を付けられることで無線通信機能とＲＯＭ機能のみしか持たない構成で、外観的には自分のＩＤ番号を知らせる機能のみを有するものとなっている。
【００１７】
そして、本実施例にあってのＩＣチップ４は日立製作所が開発しているミューチップ（商標名）を用いることを想定しているもので、このミューチップ（商標名）は前記したような機能しか持たないのでＩＣチップ４のＩＤ番号とその他の具体的なデータをサーバ上で関連づけて保存しておくこととなり、端末のリーダでＩＣチップ４のＩＤ番号が読み取られた時にサーバ経由で他のデータを確認することとなる。商品の生産から物流、販売、リサイクル等の各状況で、逐次その内容を確認することができるものとなる。
【００１８】
また、本実施例における非接触式ＩＣタグ３のアンテナ５はアルミニウムや銅もしくはそれらの合金が用いられ、本実施例ではアルミ箔の使用も考慮している。アルミニウムや銅は材料費が安価であり、エッチングやダイカット等の加工性も良く、良好な特性を得るためアンテナ５の材料として好適である。
【００１９】
さらに、本実施例に用いられる非接触式ＩＣタグ３は４００ＭＨｚ以上のマイクロ波、特に２．４５ＧＨｚのマイクロ波を用いた無線方式となっており、４００ＭＨｚ以上のマイクロ波を用いる非接触式ＩＣタグ３はアンテナ５を形状が棒状であるダイポールアンテナを用いることで良好な通信特性が得られ、全体として非接触式ＩＣタグ３の形状を細型化することもできるようになる。
【実施例２】
【００２０】
次いで、本発明の第二実施例を図４乃至図６を参照して説明する。図４は本発明の第二実施例としての電子タグを示す平面図、図５は同じく要部断面図、図６は生産ラインを示す図である。
【００２１】
これらの図にあって７はアルミニウム、特にアルミ箔に回路パターン８をプリントした後に、不要部分を溶融させたエッチングによるセキュリティタグであり、このアルミの溶融された部分には凹所部分９が形成されることとなる。この第二実施例は、前記で説明した非接触式ＩＣタグ３のアンテナ５を高くなった回路パターン８に架け、ＩＣチップ４を凹所部分に配置することとしており、このＩＣチップ４の表面と回路パターン８の表面とは面一となるようにされている。
【００２２】
このエッチングによるセキュリティタグ７は図６で示すように２５μｍ厚のＰＥフィルム１０を接着手段として一連に連続させた生産となるが、これをロールするのにＩＣチップ４は凹所部分９に収められているため邪魔とはならず、また、プリントを施すにしてもスムーズで精巧な作業を行なう事ができる。
【００２３】
さらに、この第二実施例も第一実施例の場合も非接触式ＩＣタグ３の位置ずれ防止のため、表面をカバーテープで被覆することも可能となる。
【産業上の利用可能性】
【００２４】
本発明に係る電子タグは上記のように構成されているもので、実施例として示すもののほか、ＥＭ、ＡＭ等のマグネットを用いたセキュリティタグ、自鳴式としたセキュリティタグ、そしてバーコードシール等についても応用して実施する事が可能となる。また、実施例で説明した電子タグ、強いては、非接触式ＩＣタグは、商品に実装するのみでなく、既存のタグやラベルの裏面や脇に貼装することもでき、そのタグやラベルに透孔を穿設し、吊持させる形態もとることができる。さらには、ＥＭ、ＡＭのタグ、ラベルやマグネットタイプのセキュリティタグに用いられるアモルファス、特にワイヤーに非接触式ＩＣタグ、少なくともＩＣチップを組み入れることも可能となる。
【００２５】
そして、本発明に係る電子タグは書籍、ＣＤ、ＤＶＤ等のほか、アパレル関係や薬品、化粧品、食品等多種多様の分野で個体管理が可能となり、家畜や魚介類、株券、パスポート等のシリアル番号管理にも幅広く利用する事ができる。
【図面の簡単な説明】
【００２６】
【図１】本発明を実施した第一実施例に係る電子タグを示す平面図である。
【図２】要部断面図である。
【図３】生産ライン状態を示す図である。
【図４】本発明の第二実施例としての電子タグを示す平面図である。
【図５】要部断面図である。
【図６】生産ラインを示す図である。
【符号の説明】
【００２７】
１    回路パターン
２    窓部
３    非接触式ＩＣタグ
４    ＩＣチップ
５    アンテナ
６    接着手段
７    エッチングによるセキュリティタグ
８    回路パターン
９    凹所部分
１０  ＰＥフィルム
【図１】
2010146149.tif 000003
【図２】
2010146149.tif 000004
【図３】
2010146149.tif 000005
【図４】
2010146149.tif 000006
【図５】
2010146149.tif 000007
【図６】
2010146149.tif 000008